(57)【要約】【課題】回路基板を収容保護する保護ケースの裏側に、シールド板を指先操作で手早く簡単に着脱できるようにする。【解決手段】電気制御装置は、遊技機に対向する裏面３１を全面的に凹設した透明樹脂製の皿状部材１２と、皿状部材１２に着脱可能に組合わせセットされる透明樹脂製のカバー状部材１３と、皿状部材１２およびカバー状部材１３の間に組付けられる回路基板と、皿状部材１２の裏面側に着脱可能に取着され、取着時には皿状部材１２の裏面３１の凹所に臨んで外方に突出しないシールド板３０とから構成する。更に、皿状部材１２に形成された凹孔支持部４５と、シールド板３０に形成され、シールド板３０を上下に移動させることにより凹孔支持部４５と係脱する係合部４６と、シールド板３０に形成され、指先き操作によりシールド板３０を移動させる指先掛止部５０と、皿状部材１２に形成され、指先掛止部５０の干渉を回避する凹部５１とを設けた。【選択図】図８
2006122721.tif 000002
【特許請求の範囲】
【請求項１】
対象とする遊技機裏側の所定位置に対して着脱可能に装備されてゲームを展開し得る電気的な遊技部品を制御する電気制御装置にあって、
前記電気制御装置は、
透明樹脂成形されて遊技機に対して装着セットされ、遊技機に対向する裏面が全面的に凹設された皿状部材と、
透明樹脂成形されて皿状部材に着脱可能に組合わせセットされるカバー状部材と、
前記皿状部材およびカバー状部材の間に組付けられて表裏面を皿状部材およびカバー状部材から透視可能で、前記遊技部品の制御に必要な回路および部品を設けた回路基板と、
前記皿状部材の裏面側に対して着脱可能に取着されて前記回路基板への電磁波を遮断し、取着時には皿状部材の裏面の凹所に臨んで外方に突出しないシールド板と、
前記皿状部材に形成された凹孔支持部と、
前記シールド板における前記皿状部材の凹孔支持部に対応する位置に形成され、該シールド板を前後または上下あるいは左右に移動させることにより凹孔支持部に対して係脱する係合部と、
前記シールド板に形成され、指先き操作によりシールド板を移動させる指先掛止部と、
前記皿状部材に形成され、前記指先掛止部との干渉を回避すると共に、該指先掛止部を皿状部材の外方に臨ませる凹部とを備える
ことを特徴とする遊技用の電気制御装置。
【請求項２】
前記指先掛止部は、前記シールド板から遊技機側へ向けて折れ曲がるよう形成され、
前記凹孔支持部および係合部を係合させた状態においては、前記指先掛止部が前記凹部の内側に位置して前記皿状部材の外方に臨み、
前記凹孔支持部および係合部の係合を解除させた状態においては、前記指先掛止部が前記凹部から皿状部材の外側に突出するよう構成される請求項１記載の遊技用の電気制御装置。
【請求項３】
前記シールド板は、金属表面をもつ材料または導電材を配合した樹脂材料により、前記回路基板の主要面域に適応する形状サイズに形成されている請求項１または２記載の遊技用の電気制御装置。
【発明の詳細な説明】
【技術分野】
【０００１】
この発明は、遊技用の電気制御装置に係り、更に詳しくは、例えばパチンコゲームを展開し得る遊技機にあって、同機の所定部位に着脱可能に装備されて電気的な制御処理を司る電気制御装置に関するものである。
【背景技術】
【０００２】
例えばパチンコ遊技機の代表例の一つであるパチンコ機やアレンジボール機では、機内にセットされる遊技盤に、遊技部品としての各種の入賞器具や入球器具が配置される一方、電子制御部品としての図柄表示装置や電動式入賞装置、その他に検出スイッチ,電磁ソレノイド,ランプ類等が配置され、該遊技盤内で展開されるパチンコゲームに合わせた効果音や装飾光を含む電子制御ゲームを現出し得るようになっている。そしてこれら各電気的部品類は、夫々の電子制御ゲームに適した純正な制御基板を保護ケース内に収容した電子制御装置(一般にメイン基盤または遊技用基盤ともいう)に集約的に結線されて、主としてゲーム中に発生および成立される設定条件時や特別遊技状態時等において、夫々の可動条件に従って作動制御されるようになっている。
【０００３】
前記電気制御装置では、前記保護ケースが互いに分離される皿状部材およびカバー状部材から構成され、これら皿状部材とカバー状部材内に前記回路基板が内蔵セットされて単一で取扱い得る箱型単位のユニット状に構成され、遊技機の各種構成部品とは区分けされている。そして実施にあたっては、遊技機の製造ラインの最終工程部で装着される場合や、遊技機と予め分離状態で移送されて遊技店内での遊技機の設置後、または交換後に装着される場合の前提において、前枠裏側における機構セット盤の所定部位に設置されて各種の電気部分と結線されるようになっている。また電気制御装置では、前記保護ケースが合成樹脂製の成形部材であることにより、前記回路基板に対する電磁波遮蔽対策等を図る必要があることから、ブリキ素材またはトタン素材等の導電性材により成形されたシールド板が併用されて、前記保護ケースの内部に組付けられた型式のものが実施されている。
【発明の開示】
【発明が解決しようとする課題】
【０００４】
ところで、パチンコ遊技機に使用される電気制御装置にあっては、適正な制御内容(ソフトプログラム内容)で正常に使用することを前提とした不正改造・変更防止対策のため、前記皿状部材およびカバー状部材を透明樹脂で成形して、保護ケース内に内蔵された前記回路基板における表面側の電子部品や裏面側の回路パターンを外部から容易に透視可能とすることが義務付けられ、回路基板の脱着交換,電子部品の不正改造交換等を発見し得るようになっている。しかるに前記シールド板は不透明素材で形成され、しかも前記保護ケース内において前記皿状部材と回路基板との間で該回路基板の裏面に接近して位置するようになっている。従って、これら回路基板および遮蔽防護部材を内蔵した電気制御装置においては、前記保護ケース全体を透明部材で形成したとしても、回路基板の裏面の回路パターンを視認することが不可能であった。すなわち、保護ケースに内蔵された回路基板の回路パターン検査を行なう場合には、皿状部材からカバー状部材を取外して該保護ケースを開放せざるを得ず、この際には該皿状部材とカバー状部材との組付け整合部分に貼付された封印証紙を剥がさなければならない弊害があった。また、前記封印証紙を剥がして保護ケースを開放したとしても、回路基板を皿状部材に固定するためのビス等を取外さなければならず、該回路基板の回路パターンの検査作業は極めて面倒かつ煩雑で時間が掛かるものとなっていた。
【０００５】
本発明は、前述した課題を好適に解決するべく新規に提案されたものであって、例えばパチンコ遊技機の裏側所定部位に対して着脱可能に装備される電気的な回路基板のための透明な保護ケースの裏側に、電磁波遮断用のシールド板を指先き操作で手早く簡単に着脱できるようにした遊技用の電気制御装置を提供することを目的とする。
【課題を解決するための手段】
【０００６】
前記課題を解決し、初期の目的を達成するため本発明は、
対象とする遊技機裏側の所定位置に対して着脱可能に装備されてゲームを展開し得る電気的な遊技部品を制御する電気制御装置にあって、
前記電気制御装置は、
透明樹脂成形されて遊技機に対して装着セットされ、遊技機に対向する裏面(31)が全面的に凹設された皿状部材(12)と、
透明樹脂成形されて皿状部材(12)に着脱可能に組合わせセットされるカバー状部材(13)と、
前記皿状部材(12)およびカバー状部材(13)の間に組付けられて表裏面を皿状部材(12)およびカバー状部材(13)から透視可能で、前記遊技部品の制御に必要な回路および部品を設けた回路基板(10)と、
前記皿状部材(12)の裏面側に対して着脱可能に取着されて前記回路基板(10)への電磁波を遮断し、取着時には皿状部材(12)の裏面(31)の凹所に臨んで外方に突出しないシールド板(30)と、
前記皿状部材(12)に形成された凹孔支持部(45)と、
前記シールド板(30)における前記皿状部材(12)の凹孔支持部(45)に対応する位置に形成され、該シールド板(30)を前後または上下あるいは左右に移動させることにより凹孔支持部(45)に対して係脱する係合部(46)と、
前記シールド板(30)に形成され、指先き操作によりシールド板(30)を移動させる指先掛止部(50)と、
前記皿状部材(12)に形成され、前記指先掛止部(50)との干渉を回避すると共に、該指先掛止部(50)を皿状部材(12)の外方に臨ませる凹部(51)とを備えることを特徴とする。
【０００７】
請求項２に係る発明は、前記指先掛止部(50)は、前記シールド板(30)から遊技機側へ向けて折れ曲がるよう形成され、
前記凹孔支持部(45)および係合部(46)を係合させた状態においては、前記指先掛止部(50)が前記凹部(41)の内側に位置して前記皿状部材(12)の外方に臨み、
前記凹孔支持部(45)および係合部(46)の係合を解除させた状態においては、前記指先掛止部(50)が前記凹部(41)から皿状部材(12)の外側に突出するよう構成されることを要旨とする。
【０００８】
請求項３に係る発明は、前記シールド板(30)は、金属表面をもつ材料または導電材を配合した樹脂材料により、前記回路基板(10)の主要面域に適応する形状,サイズに形成されていることを要旨とする。
【発明の効果】
【０００９】
本発明に係る遊技用の電気制御装置によれば、皿状部材とカバー状部材との間に収容した回路基板への電磁波を遮断するシールド板を、該皿状部材と該シールド板の双方に形成された凹孔支持部および係合部を利用することで、皿状部材の裏面側に対して指先き操作で着脱可能に取着し得るようにした。従って、皿状部材とカバー状部材が透明樹脂材で成形されることを前提として、これら皿状部材とカバー状部材の内部に組付け保持された前記回路基板の表面側の電子部品を外部から容易に透視し得ることは勿論、該回路基板の裏側面の回路パターンも、前記シールド板を指先き操作で取外すだけで容易に透視することが可能となる。すなわちシールド板は、皿状部材の裏面側に取着されるので該皿状部材とカバー状部材を開放することなく、しかもシールド材の取付け,取外し作業に一切の工具も必要とせずに脱着し得るから、回路基板の回路パターンの検査作業等が極めて簡単,容易でかつ短時間に行ない得る等の利点がある。
【発明を実施するための最良の形態】
【００１０】
次に、本発明に係る遊技用の電気制御装置について、好適な実施例を挙げて、添付図面を参照しながら、以下詳細に説明する。
【実施例】
【００１１】
先ず電子制御装置の説明に先立ち、図１をもとにして、実施例のパチンコ遊技機につき要約説明する。すなわち実施例のパチンコ遊技機Ｐは、基本的な主要構成として、外枠Ａに対して開閉および着脱が可能に組付けられた前枠Ｂと、この前枠Ｂの裏側に固定された収容保持枠Ｃに対して開閉および着脱が可能に組付けられた機構セット盤Ｄと、前枠Ｂの前側から収容保持枠Ｃ内に着脱交換可能に収容セットされる遊技盤(図示しない)等を備えており、これら主要構成体の各部に各種の装置,器具並びに部材等が装着されている。なお図示しないが、前枠Ｂの前面側には、ガラス扉および上球受け皿が開閉可能に取着されると共に、下球受け皿および発射装置等が設置されており、また上端部に装飾を兼ねた照明具等が配設されている。
【００１２】
前記機構セット盤Ｄは、機種別(ゲーム内容別)やサイズ別に区分される全てのパチンコ遊技機Ｐに共用し得るように形成され、その基本的な構成として、図示しない前記遊技盤の裏側部位に形成した窓口に保護カバー１が開閉可能にセットされ、該遊技盤で遊技に供された後に区分通出されるアウト球とセーフ球の排出路およびセーフ球処理装置２、遊技盤での遊技結果に基いて払い出される賞球に係る貯留容器３,賞球排出装置４および賞球排出路５等が、所要位置に成形または組付けセットされている。また、前記窓口の下部領域は各種電気的部品用の搭載部とされて、該窓口の下方に収容室６,７が形成されている。なお右上隅部には、ターミナル基盤８がセットされている。
【００１３】
前述したパチンコ遊技機Ｐに実施される本実施例の電気制御装置Ｅは、前記遊技盤側における各種電気的部品・手段に係る入出力制御等を図る電子的な回路基板１０を、図２および図５に示すような保護ケース１１に収容保護してケース単位で取扱い得るようになっている。この保護ケース１１は、前記機構セット盤Ｄに対して装着セットされる皿状部材１２と、この皿状部材１２に対して着脱可能に組付けられるカバー状部材１３とから構成され、両者共に透明な合成樹脂材により一体成形されて、前記回路基板１０を皿状部材１２内に敷設状態で収容すると共に前記カバー状部材１３で覆蓋保護するようになっている。なお、前記皿状部材１２の四隅近傍にはボス１４が一体的に立設されると共に一側端部には鉤状のフック１５が形成され、また回路基板１０の四隅近傍には前記ボス１４に整合する透孔１０ａが穿設してある。これにより回路基板１０は、その一側端部を前記フック１５に係止させると共に各透孔１０ａを前記ボス１４に嵌合させて皿状部材１２にセットし、この状態で前記カバー状部材１３を該皿状部材１２に整合させることにより、該カバー状部材１３の押付片１６が回路基板１０の他側端部を保持するようになり、該回路基板１０はカダ付きのない状態で保護ケース１１内に収容保持される。
【００１４】
また本実施例の電気制御装置Ｅでは、前記回路基板１０の不正改造や交換,変更等の不正行為の防止策として、保護ケース１１の不正な開放を阻止すると共に開放の履歴を残し得る不正開放防止部材２０が装備されている。この不正開放防止部材２０は、図１,図５および図９に示すように、カバー状部材１３の下端縁部１３ａに一体的に成形配置した上部半体２２と、皿状部材１２の下端縁部１２ａに一体的に成形配置した下部半体２３とからなる合計４個の結合ボス部２１と、これら上部半体２２と下部半体２３との間にねじ込んで皿状部材１２とカバー状部材１３とを固定する締付け専用のビス２４とから構成されている。すなわち、皿状部材１２にカバー状部材１３を組付けセットすると、各上部半体２２と各下部半体２３とが好適に整合当接すると共に、何れか１個の結合ボス部２１に前記ビス２４をねじ込めば該皿状部材１２とカバー状部材１３とが結合され、また一般工具を使用しても皿状部材１２とカバー状部材１３との分離が不可能となる。これにより、前記保護ケース１１を開放して収容保護された前記回路基板１０を露出させるには、前記ビス２４で連結された結合ボス部２１をカバー状部材１３および皿状部材１２から切断しなければ、皿状部材１２からカバー状部材１３を開放することはできない。しかるに、結合ボス部２１を切断すればカバー状部材１３を開放することは可能ではあるが、不正開放の形跡がはっきり残って不正の有無を容易に確認し得るものである。なお、結合ボス部２１が４個形成されているので、合計３回までの開放の履歴を残し得る。
【００１５】
前述した保護ケース１１は、図１および図２に示すように、前記収容室６,７を覆蓋する蓋部材２５,２６の外面に形成される設置部２７に装着され、機構セット盤Ｄの下部に搭載セットされる。すなわち前記設置部２７に対する電気制御装置Ｅの取着手段としては、図１および図２に示すように、前記皿状部材１２の左右両側端部に一体成形されたフランジ１７に配設した出没式の係止具２８と、前記第１蓋部材２５および第２蓋部材２６の表面に成形した係止筒部(図示せず)を利用するようになっている。具体的には、第１蓋部材２５の所定位置に成形した１つの係止筒部に、皿状部材１２の左側端部のフランジ１７に配設した係止具２８を係着すると共に、第２蓋部材２６の所要位置に成形した２つの係止筒部に、該皿状部材１２の右側端部のフランジ１７,１７に配設した係止具２８,２８を夫々係着することで、電気制御装置Ｅが設置部２７に着脱可能に取着される。
【００１６】
ところで、本実施例の電気制御装置Ｅでは、保護ケース１１内に収容保護した前記回路基板１０に対する電磁波の遮蔽対策として、金属表面をもつ材料または導電材を配合した樹脂材料により形成されるシールド板３０を、該保護ケース１１の裏面３１に対して指先き操作により着脱または開閉が可能に取着するようになっている。そこで、回路基板１０に対する電磁波遮蔽対策例につき、各実施形態毎に説明する。
【００１７】
(第１実施形態例)
図２〜図７は、本実施例の電気制御装置Ｅに採用される電磁波遮蔽対策の第１実施形態例を示しており、前記回路基板１０の主要面域に適応する形状,サイズに形成された前記シールド板３０を、皿状部材１２の裏面３１に対して着脱または開閉が可能な形態となっている。すなわち、皿状部材１２およびシールド板３０の夫々の一側部には、互いに着脱および回動が可能に連結し得る支持部(係合支持手段)３２が形成され、該皿状部材１２およびシールド板３０の夫々の他側部には、互いに係脱可能に係合し得る係合部(係合支持手段)３３が形成されている。前記支持部３２は、図２および図６等に示すように、皿状部材１２の一側部の上方および下方において水平に延出した支持片３４,３４に立設された支持軸３５,３５と、シールド板３０の一側部の上方および下方において該支持軸３５,３５に対応した位置で突出片３６を巻回成形して形成された支持孔３７,３７とから構成される。また前記係合部３３は、図２および図７等に示すように、皿状部材１２の他側部の上下略中央部において後方へ突出して弾性変形可能な係合フック３８と、シールド板３０の他側部の上下略中央部において側方に延出した係合片３９とから構成されている。
【００１８】
前述のように構成された第１実施形態例の電磁波遮蔽対策では、皿状部材１２の支持軸３５,３５に対してシールド板３０の各支持孔３７,３７を上方から整合させると共にスライド係合させることにより(図６(ａ)参照)、該シールド板３０は皿状部材１２に対して回動可能に連結される(図６(ｂ)参照)。また、シールド板３０を回動させて皿状部材１２の裏面３１へ閉成させると(図７(ａ)参照)、前記係合フック３８の弾性変形下に該係合フック３８と前記係合片３９とが係合され(図７(ｂ)参照)、該シールド板３０は皿状部材１２に閉成された状態で保持される。このシールド板３０が皿状部材１２に閉成された状態では、図４に示すように、保護ケース１１に収容保護された回路基板１０の裏面と所要間隔で位置するようになり、該回路基板１０に対する電磁波の遮蔽が好適に図られる。なお、前記係合フック３８を側方へ適宜弾性変形させて係合片３９との係合を解除させれば、シールド板３０を回動させて皿状部材１２から開放し得ると共に、更にシールド板３０を上方へ引き上げれば支持軸３５,３５と支持孔３７,３７との係合が解除され、該シールド板３０を皿状部材１２から取外すことができる。
【００１９】
また、シールド板３０の前記係合片３９には、回動操作を容易に行ない得るように指先掛止部４０が形成されており、また皿状部材１２の対応位置には、該指先掛止部４０との干渉を回避するための凹部４１が形成されている。なお、皿状部材１２の裏面３１は全面的に凹設されており、前記シールド板３０が該裏面３１に閉成された際には、皿状部材１２から外方へ突出しないようになっている(図４参照)。
【００２０】
前述した第１実施形態例の電磁波遮蔽対策を採用した電気制御装置Ｅでは、前記回路基板１０を保護ケース１１に収容保護すると共に不正開放防止部材２０を利用して皿状部材１２とカバー状部材１３との不正開放防止を図った後に、前記シールド板３０を皿状部材１２に取着することで、ケース毎の単一部材として構成される。そして前述したように、皿状部材１２の各フランジ１７に係着した係止具２８を利用して機構セット盤Ｄの設置部２７に取着した後に、遊技盤等に配設された各電気的部品類からの電線コードが集約的に結線されて実施に供される。なお、当該パチンコ遊技機Ｐが遊技に供されている際に発生する外部からの電磁波に対しては、前記シールド板３０が回路基板１０の裏面を全面的に遮蔽するため、該回路基板１０は電磁波から遮蔽されて好適に保護される。
【００２１】
また、ホール内に設置された遊技機Ｐに対する官憲の立合い検査等において、保護ケース１１内に収容保護された回路基板１０の裏面側の回路パターンを確認する必要があるときには、電気制御装置Ｅを設置部２７から取外した後、前記シールド板３０を皿状部材１２から開放するだけで該回路基板１０の裏面側を容易に透視し得る。しかも、第１実施形態例の電磁波遮蔽対策を施した電気制御装置Ｅでは、保護ケース１１の開放や回路基板１０の取外し等の面倒かつ煩雑な作業が全く必要ないうえに、前記シールド板３０の開閉,着脱操作も工具等を使用することなく簡単に行ない得るから、簡単,容易でかつ短時間で所定の検査を行なうことが可能となる。
【００２２】
(第２実施形態例)
図８〜図１１は、本実施例の電気制御装置Ｅに採用される電磁波遮蔽対策の第２実施形態例を示しており、前記回路基板１０の主要面域に適応する形状,サイズに形成された前記シールド板３０を、皿状部材１２の裏面３１に対して上下の向きに係脱可能な形態となっている。すなわち、皿状部材１２の左右両側部における上方および下方に凹孔支持部(係合支持手段)４５が形成され、またシールド板３０の左右両側部における上方および下方には、各凹孔支持部４５に係合し得るＬ字形の係合部(係合支持手段)４６が形成されている。前記凹孔支持部４５は、図１０に示すように、前記係合部４６が通過可能な挿通部４７と、該挿通部４７の奥側下方に延在する凹孔４８とから形成されている。また前記係合部４６は、シールド板３０の側端部から裏面側へ曲折成形されると共に、更に下方へ延出して前記凹孔支持部４５の凹孔４８に係合する係合片４９を有している。
【００２３】
前述のように構成された第２実施形態例の電磁波遮蔽対策では、皿状部材１２における各凹孔支持部４５の凹孔４８に対してシールド板３０における各係合部４６の係合片４９を、後方から整合させて(図１０(ａ)参照)、下方へスライドさせて係合することにより(図１０(ｂ)参照)、該シールド板３０は皿状部材１２に対して略密着的に取着される。このシールド板３０が皿状部材１２に取着された状態では、保護ケース１１に収容保護された回路基板１０の裏面と所要間隔で位置するようになり、該回路基板１０に対する電磁波の遮蔽が好適に図られる。
【００２４】
また、シールド板３０の前記上縁部略中央には、図１１に示すように、該シールド板３０の上方への引き上げ操作を容易に行ない得るように指先掛止部５０が形成されており、また皿状部材１２の対応位置には、該指先掛止部５０との干渉を回避するための凹部５１が形成されている。すなわち、皿状部材１２の各凹孔支持部４５の凹孔４８にシールド板３０における各係合部４６の係合片４９が係合している状態で、指先掛止部５０に手指を引掛けて引き上げれば、凹孔４８と係合片４９との係合が解除されてシールド板３０を皿状部材１２から容易に取外し得る。前記指先掛止部５０は、シールド板３０を皿状部材１２の裏面３１に整合させた状態では該皿状部材１２の上方に突出しているが(図１１(ａ)参照)、前記凹孔４８に対して係合片４９が完全に係合した際には、前記皿状部材１２内へ退避する(図１１(ｂ)参照)。なお、皿状部材１２の裏面３１は全面的に凹設されており、前記シールド板３０が該裏面３１に閉成された際には、皿状部材１２から外方へ突出しない。
【００２５】
前述した第２実施形態例の電磁波遮蔽対策を採用した電気制御装置Ｅでは、前記回路基板１０を保護ケース１１に収容保護すると共に不正開放防止部材２０を利用して皿状部材１２とカバー状部材１３との不正開放防止を図った後に、前記シールド板３０を皿状部材１２に取着することで、ケース毎の単一部材として構成される。そして前述したように、皿状部材１２の各フランジ１７に係着した係止具２８を利用して機構セット盤Ｄの設置部２７に取着した後に、遊技盤等に配設された各電気的部品類からの電線コードが集約的に結線されて実施に供される。なお、当該パチンコ遊技機Ｐの遊技に供されている際に発生する外部からの電磁波に対しては、前記シールド板３０が回路基板１０の裏面を全面的に遮蔽するため、該回路基板１０は電磁波から遮蔽されて好適に保護される。
【００２６】
また、ホール内に設置された遊技機Ｐに対する官憲の立合い検査等において、保護ケース１１内に収容保護された回路基板１０の裏面側の回路パターンを確認する必要があるときには、電気制御装置Ｅを設置部２７から取外した後、前記シールド板３０を皿状部材１２から取外すだけで該回路基板１０の裏面側を容易に透視し得る。しかも、第２実施形態例の電磁波遮蔽対策を施した電気制御装置Ｅでは、保護ケース１１の開放や回路基板１０の取外し等の面倒かつ煩雑な作業が全く必要がないうえに、前記シールド板３０の開閉,着脱操作も工具等を使用せずに簡単に行ない得るから、簡単,容易でかつ短時間で所定の検査を行なうことが可能となる。
【００２７】
前述した第１実施形態例では、皿状部材に対してシールド板を一側部に設けた支持部を中心として開閉可能な形態としたが、皿状部材およびシールド板の上端または下端に支持部を設け、皿状部材に対してシールド板を上端または下端部の支持部を中心として開閉可能とする構成を採用し得る。また第２実施形態例では、皿状部材に対してシールド板を上下の向きに係脱可能な形態としたが、皿状部材に対してシールド板を左右の向きに係合可能な構成とすることができる。
【図面の簡単な説明】
【００２８】
【図１】本実施例のパチンコ機を概略で示す背面図である。
【図２】第１実施形態例に係る電気制御装置をシールド板の装着前状態で示す概略斜視図である。
【図３】第１実施形態例の電気制御装置の要部拡大背面図である。
【図４】第１実施形態例の電気制御装置の要部拡大横断面図である。
【図５】第１実施形態例の電気制御装置を分解状態で示す側面図である。
【図６】第１実施形態例の支持部の連結前状態と連結状態とを示す要部拡大斜視図である。
【図７】第１実施形態例の係合部の係合前状態と係合状態とを示す要部拡大斜視図である。
【図８】第２実施形態例に係る電気制御装置をシールド板の装着前状態で示す概略斜視図である。
【図９】第２実施形態例の電気制御装置の要部拡大背面図である。
【図１０】第２実施形態例の凹孔支持部と係合部との係合前状態と係合状態とを示す要部拡大斜視図である。
【図１１】第２実施形態例の皿状部材の凹部とシールド板の指先掛止部との係合状態を示す概略斜視図である。
【符号の説明】
【００２９】
１０  回路基板
１２  皿状部材
１３  カバー状部材
３０  シールド板
３１  裏面
３２  支持部
３３  係合部
４５  凹孔支持部
４６  係合部
５０  指先掛止部
５１  凹部
【図１】
2006122721.tif 000003
【図２】
2006122721.tif 000004
【図３】
2006122721.tif 000005
【図４】
2006122721.tif 000006
【図５】
2006122721.tif 000007
【図６】
2006122721.tif 000008
【図７】
2006122721.tif 000009
【図８】
2006122721.tif 000010
【図９】
2006122721.tif 000011
【図１０】
2006122721.tif 000012
【図１１】
2006122721.tif 000013